(57)【特許請求の範囲】
【請求項１】
開口が設けられた本体と、
前記開口を覆うように前記本体に取り付けられる化粧パネルと、
前記本体と前記化粧パネルとの間に配置されるフィルターと、
を備え、
前記化粧パネルは、前記本体の前記開口と対向する位置に配置された矩形状の吸込グリルを有し、
前記吸込グリルは、互いに対向する長辺側壁部と、前記長辺側壁部のそれぞれと直交するように配設された複数の短辺側壁部と、前記長辺側壁部と前記短辺側壁部とで囲まれた底面部と、前記底面部の４隅のグリル角部のそれぞれに位置する爪受部とを有し、
前記爪受部は、前記吸込グリルの一方の前記長辺側壁部を構成する前部長辺側壁部に沿って前記底面部に配設された前部爪受部を有し、
前記前部爪受部は、前記底面部から立ち上がる板状の前部突当壁と、前記前部突当壁の上端において他方の長辺側壁部側に突出して前記底面部と対向する板状の前部突出部とを有し、
前記フィルターは、矩形状に形成されており、前記フィルターの４隅のフィルター角部のそれぞれに前記爪受部と係合する爪部を有する空気調和機の室内機。
【請求項２】
前記爪受部は、前記吸込グリルの前記他方の前記長辺側壁部を構成する後部長辺側壁部に配設される後部爪受部を有し、
前記後部爪受部は、前記本体に対向して斜面を形成する斜壁部と、前記底面部と対向する面を形成する底壁部とを有し、前記吸込グリルの前記後部長辺側壁部から突出している請求項１に記載の空気調和機の室内機。
【請求項３】
前記フィルターは、互いに対向する長辺枠部と、互いに対向する短辺枠部とを有し、
前記爪部は、一方の前記長辺枠部を構成する前部長辺枠部の両端部から前記フィルターの短手方向かつ斜め下方向に突出するように形成されている前部爪部を有する請求項１又は２に記載の空気調和機の室内機。
【請求項４】
前記前部爪部は、前記前部爪部の先端に位置し、先端が湾曲する湾曲部と、前記湾曲部の一端と前記前部長辺枠部との間に傾斜するように設けられて細長い板状に形成された第１平坦板と、前記湾曲部の他端と接続し前記第１平坦板と同方向に傾斜するように設けられた第２平坦板と、を有する請求項３に記載の空気調和機の室内機。
【請求項５】
前記湾曲部は、上壁部と、下壁部とを有し、前記上壁部と前記下壁部との外面間の距離Ｈ１が、前記前部突出部と前記底面部との間の距離Ｈ２よりも小さくなるように形成されている請求項４に記載の空気調和機の室内機。
【請求項６】
前記吸込グリルは、前記前部突当壁と対向するように前記底面部から立ち上がる外れ防止リブを更に有し、
前記前部爪部は、前記前部爪部の最先端部と、前記第２平坦板の根元側端部との間の距離Ｗ１が、前記前部突出部と前記外れ防止リブとの間の距離Ｗ２よりも大きくなるように形成されている請求項５に記載の空気調和機の室内機。
【請求項７】
前記爪部は、前記他方の前記長辺枠部を構成する後部長辺枠部の両端部に位置する前記フィルター角部から下方向に突出するように形成されている後部爪部を有する請求項３〜６のいずれか１項に記載の空気調和機の室内機。
【請求項８】
前記後部爪部は、下方向に突出する下方壁部と、下方壁部の下端部から前記フィルターの外縁側の短手方向に突出する外縁突出部とを有する請求項７に記載の空気調和機の室内機。
【請求項９】
前記吸込グリルには、複数の前記フィルターが配置されている請求項１〜８のいずれか１項に記載の空気調和機の室内機。
【請求項１０】
請求項１〜９のいずれか１項に記載の空気調和機の室内機を有する空気調和機。
【発明の詳細な説明】
【技術分野】
【０００１】
本発明は、空気調和機の室内機及び空気調和機、特に空気調和機の室内機に用いられる吸込グリルとフィルターに関するものである。
【背景技術】
【０００２】
従来より、空気調和機の室内機において、フィルターに設けられた爪部を吸込グリルの爪受部に係合させることで、フィルターが吸込グリルに取り付けられているものがある（例えば、特許文献１参照）。
【先行技術文献】
【特許文献】
【０００３】
【特許文献１】特開平０９−１９６４６０号公報
【発明の概要】
【発明が解決しようとする課題】
【０００４】
従来の室内機は、フィルターの周縁に爪部が配置され、吸込グリルの裏面の内側に爪受部が配置されている。しかし、フィルターを吸込グリルに取り付ける際に、吸込グリルに対するフィルターの位置を決めにくい場合がある。【０００５】
本発明は、上記のような課題を解決するためになされたもので、フィルターを吸込グリルに取り付ける際に、吸込グリルに対するフィルターの位置を決めやすい空気調和機の室内機及び空気調和機を提供するものである。
【課題を解決するための手段】
【０００６】
本発明に係る空気調和機の室内機は、開口が設けられた本体と、開口を覆うように本体に取り付けられる化粧パネルと、本体と化粧パネルとの間に配置されるフィルターと、を備え、化粧パネルは、本体の開口と対向する位置に配置された矩形状の吸込グリルを有し、吸込グリルは、互いに対向する長辺側壁部と、長辺側壁部のそれぞれと直交するように配設された複数の短辺側壁部と、長辺側壁部と短辺側壁部とで囲まれた底面部と、底面部の４隅のグリル角部のそれぞれに位置する爪受部とを有し、爪受部は、吸込グリルの一方の長辺側壁部を構成する前部長辺側壁部に沿って底面部に配設された前部爪受部を有し、前部爪受部は、底面部から立ち上がる板状の前部突当壁と、前部突当壁の上端において他方の長辺側壁部側に突出して底面部と対向する板状の前部突出部とを有し、フィルターは、矩形状に形成されており、フィルターの４隅のフィルター角部のそれぞれに爪受部と係合する爪部を有するものである。
【発明の効果】
【０００７】
本発明に係る空気調和機の室内機は、吸込グリルが、底面部の４隅のグリル角部のそれぞれに位置する爪受部を有し、フィルターが、フィルターの４隅のフィルター角部のそれぞれに爪受部と係合する爪部を有するものである。その結果、フィルターを取り付ける時に位置決めしやすくなり、フィルターを吸込グリルに迅速かつ容易に取り付けることができ、吸込グリルにフィルターを取り付ける時の作業性を改善することができる。
【図面の簡単な説明】
【０００８】
【図１】本発明の実施の形態１に係る空気調和機の構成例を表す図である。
【図２】本発明の実施の形態１に係る空気調和機の室内機を示す斜視図である。
【図３】本発明の実施の形態１に係る空気調和機の室内機に用いられる吸込グリルとフィルターを本体側から見た斜視図である。
【図４】図３で示すＡ部の拡大図である。
【図５】図３のＣ−Ｃ線断面における部分拡大図である。
【図６】図３で示すＢ部の拡大図である。
【図７】図３のＤ−Ｄ線断面における部分拡大図である。
【発明を実施するための形態】
【０００９】
以下、本発明の実施の形態に係る空気調和機の室内機及び空気調和機について図面等を参照しながら説明する。以下の図面において、同一の符号を付したものは、同一又はこれに相当するものであり、以下に記載する実施の形態の全文において共通することとする。そして、明細書全文に表わされている構成要素の形態は、あくまでも例示であって、明細書に記載された形態に限定するものではない。また、図面では各構成部材の大きさの関係が実際のものとは異なる場合がある。なお、本実施の形態において、理解を容易にするために方向を表す用語（例えば「上」、「下」、「右」、「左」、「前」、「後」など）を適宜用いるが、これは説明のためのものであって、これらの用語は本願発明を限定するものではない。
【００１０】
実施の形態１．
［空気調和機］
図１は、本発明の実施の形態１に係る空気調和機の構成例を表す図である。ここで、図１は、空気調和機１を冷凍サイクル装置の例として示している。図１の空気調和機１は、室外機２００と、室内機１００とを有し、室外機２００と室内機１００とはガス冷媒配管３００及び液冷媒配管４００により配管接続されている。
【００１１】
室外機２００は、圧縮機２１０、流路切替装置２２０、室外熱交換器２３０、及び膨張弁２４０を有している。圧縮機２１０は、吸入した冷媒を圧縮して吐出するものである。流路切替装置２２０は、例えば四方弁であり、冷媒の流路の方向の切り換えが行われる装置である。空気調和機１は、冷媒の流路の方向を切り換えることで、冷房運転と暖房運転との切り換えを行う。室外熱交換器２３０は、冷媒と空気（室外の空気）との熱交換を行う。室外熱交換器２３０は、暖房運転時においては蒸発器として機能し、冷媒を蒸発させ、気化させる。また、室外熱交換器２３０は、冷房運転時においては凝縮器として機能し、冷媒を凝縮して液化させる。膨張弁２４０は、絞り装置（流量制御手段）であり、膨張弁２４０を流れる冷媒の流量を調節することにより、膨張弁として機能し、流入してきた冷媒を減圧するものである。例えば、膨張弁２４０が、電子式膨張弁等で構成された場合は、制御装置（図示せず）等の指示に基づいて開度調整が行われる。
【００１２】
室内機１００は、室内熱交換器１１０を有する。室内熱交換器１１０は、空調対象となる空気と冷媒との熱交換を行う。室内熱交換器１１０は、暖房運転時においては凝縮器として機能し、冷媒を凝縮して液化させる。また、室内熱交換器１１０は、冷房運転時においては蒸発器として機能し、冷媒を蒸発させ、気化させる。
【００１３】
［室内機の構成］
図２は、本発明の実施の形態１に係る空気調和機の室内機を示す斜視図である。図２に示すＸ軸は、室内機１００の長手方向を示し、Ｙ軸は室内機１００の短手方向を示し、Ｚ軸は室内機１００の高さ方向を示すものである。なお、Ｚ軸において、Ｚ１は上方向あるいは天井側を示し、Ｚ２は下方向あるいは室内側を示す。
【００１４】
室内機１００は、前述した室内熱交換器１１０が収容され、下面に開口（図示せず）が設けられた本体１０と、開口を覆うように本体１０に取り付けられる化粧パネル１１と、本体１０と化粧パネル１１との間に配置される後述するフィルター３０とを備えている。図２に示す室内機１００は、化粧パネル１１が天井板から露出し、天井板の内側に本体１０が設置される天井埋込型の室内機である。なお、室内機１００は、天井埋込型の室内機に限定するものではなく、壁掛け型の室内機であってもよく、床面据え置き型の室内機であってもよい。
【００１５】
［化粧パネル］
化粧パネル１１は、樹脂材で構成されており、平面視で矩形状に形成されている。なお、化粧パネル１１の長手方向（Ｘ軸方向）、短手方向（Ｙ軸方向）及び高さ方向（Ｚ軸方向）は、上述した室内機１００の長手方向（Ｘ軸方向）、短手方向（Ｙ軸方向）及び高さ方向（Ｚ軸方向）と一致する。化粧パネル１１は、本体１０の開口と対向する位置に配置された矩形状の吸込グリル１２を有する。吸込グリル１２は、図２に示すように、化粧パネル１１の長手方向（Ｘ軸方向）の中央部分に配置されている。また、化粧パネル１１は、吸込グリル１２の長手方向（Ｘ軸方向）の両側に設けられたサイドパネル１５を備える。さらに、化粧パネル１１には、化粧パネル１１の短手方向（Ｙ軸方向）の一方の側（Ｙ２側）において、化粧パネル１１の長手方向（Ｘ軸方向）に沿って、本体１０から吹き出された空気を通過させるための吹出口１３が形成されている。なお、吹出口１３が形成される位置は、化粧パネル１１の短手方向の一方の側（Ｙ２側）に限定されるものではなく、化粧パネル１１の短手方向の他方の側（Ｙ１側）に吹出口１３が形成されてもよい。また、吹出口１３が形成される位置は、化粧パネル１１の短手方向のいずれか一方の側に限定するものではなく、化粧パネル１１の短手方向の両方の側（Ｙ１側及びＹ２側）に形成されていてもよい。化粧パネル１１の吹出口１３の位置には、本体１０から吹出される空気の風向きを変化させるための風向フラップ１３ａが配置されている。
【００１６】
［吸込グリル］
図３は、本発明の実施の形態１に係る空気調和機の室内機に用いられる吸込グリルとフィルターを本体側から見た斜視図である。図３及び図２を用いて吸込グリル１２について説明する。吸込グリル１２は、互いに対向する前部長辺側壁部１２ａ１及び後部長辺側壁部１２ａ２と、前部長辺側壁部１２ａ１及び後部長辺側壁部１２ａ２のそれぞれと直交するように配設された複数の短辺側壁部１２ｂとを有する。また、吸込グリル１２は、前部長辺側壁部１２ａ１と、後部長辺側壁部１２ａ２と、短辺側壁部１２ｂとで囲まれた底面部１２ｃと、底面部１２ｃの４隅のグリル角部１２ｅ１及びグリル角部１２ｅ２のそれぞれに位置する後述する前部爪受部１２ｆ又は後部爪受部１２ｊとを有する。後部長辺側壁部１２ａ２は、吸込グリル１２において吹出口１３側（Ｙ２側）の壁を形成し、前部長辺側壁部１２ａ１は、吹出口１３とは反対側（Ｙ１側）の壁を形成する。吸込グリル１２は、平面視で矩形状に形成されており、吸込グリル１２の長手方向が、化粧パネル１１の長手方向（Ｘ軸方向）と同じ方向となる。すなわち、吸込グリル１２の長手方向（Ｘ軸方向）、短手方向（Ｙ軸方向）及び高さ方向（Ｚ軸方向）は、上述した室内機１００の長手方向（Ｘ軸方向）、短手方向（Ｙ軸方向）及び高さ方向（Ｚ軸方向）と一致する。なお、前部長辺側壁部１２ａ１及び後部長辺側壁部１２ａ２は、本発明の「長辺側壁部」に相当し、グリル角部１２ｅ１及びグリル角部１２ｅ２は、本発明の「グリル角部」に相当する。また、前部爪受部１２ｆ及び後部爪受部１２ｊは、本発明の「爪受部」に相当する。
【００１７】
吸込グリル１２の底面部１２ｃには、図２に示すように長手方向（Ｘ軸方向）に沿って吸込口１４が形成されている。吸込口１４は、吸込グリル１２の本体１０側（Ｚ１側）と室内側（Ｚ２側）とを貫通する孔である。吸込口１４の内側には、平行な複数の横桟１４ａとこれら横桟と直交して連結する縦桟１４ｂとが設けられている。室内の空気は、吸込グリル１２に形成された吸込口１４を通過して本体１０の内部に吸い込まれる。
【００１８】
図４は、図３で示すＡ部の拡大図である。図５は、図３のＣ−Ｃ線断面における部分拡大図である。前部爪受部１２ｆは、吸込グリル１２の一方の長辺側壁部を構成する前部長辺側壁部１２ａ１に沿って底面部１２ｃに配設されている。前部爪受部１２ｆは、前部突当壁１２ｇと、前部突出部１２ｈとを有する。前部突当壁１２ｇは、底面部１２ｃから立ち上がる板状の壁であり、吸込グリル１２の長手方向（Ｘ軸方向）に延びるように設けられている。前部突当壁１２ｇの上端には、後部長辺側壁部１２ａ２側に突出し、底面部１２ｃと対向する板状の前部突出部１２ｈが設けられている。図４に示すように、前部突出部１２ｈは、矩形状に形成されている。吸込グリル１２には、図５に示すように、底面部１２ｃと、前部突当壁１２ｇと、前部突出部１２ｈとで囲まれた、空間Ｓが形成されている。また、吸込グリル１２は、図５に示すように、前部長辺側壁部１２ａ１とは反対側に、前部突当壁１２ｇと対向するように底面部１２ｃから立ち上がる外れ防止リブ１２ｉを更に有する。
【００１９】
図６は、図３で示すＢ部の拡大図である。図７は、図３のＤ−Ｄ線断面における部分拡大図である。図６に示すように、後部爪受部１２ｊは、吸込グリル１２の他方の長辺側壁部を構成する後部長辺側壁部１２ａ２に配設されている。後部爪受部１２ｊは、後部長辺側壁部１２ａ２から突出しており、吸込グリル１２の長手方向（Ｘ軸方向）に延びるように設けられている。後部爪受部１２ｊは、斜壁部１２ｊ１と、底壁部１２ｊ２とを有する。斜壁部１２ｊ１は、後部長辺側壁部１２ａ２の断面において、図７に示すように、後部爪受部１２ｊの上部から下部にかけて幅が広くなるように本体１０に対向して斜面を形成し、底壁部１２ｊ２は、底面部１２ｃと対向する面を形成する。
【００２０】
［フィルター］
次に、図３〜図７を用いてフィルター３０について説明する。なお、図４及び図６では、吸込グリル１２の構成を説明するために、フィルター３０は、吸込グリル１２から分離させている。フィルター３０は、樹脂材で構成されており、本体１０の内部に吸い込まれる空気に含まれる塵埃を除去するものである。図３に示すように、フィルター３０は、吸込グリル１２の中央部Ｍに設けられた短辺側壁部１２ｂの両側に取り付けられている。フィルター３０は、図２に示す吸込口１４を本体１０側から覆うように設置されている。フィルター３０は、矩形状に形成されており、互いに対向する前部長辺枠部３０ａ１及び後部長辺枠部３０ａ２と、互いに対向する短辺枠部３０ｂとを有する。また、フィルター３０は、フィルター３０の４隅のフィルター角部３０ｅ１及びフィルター角部３０ｅ２のそれぞれに爪受部と係合する後述する前部爪部３１又は後部爪部３７を有する。フィルター３０の長手方向（Ｘ軸方向）、短手方向（Ｙ軸方向）及び高さ方向（Ｚ軸方向）は、上述した室内機１００の長手方向（Ｘ軸方向）、短手方向（Ｙ軸方向）及び高さ方向（Ｚ軸方向）と一致する。なお、前部長辺枠部３０ａ１及び後部長辺枠部３０ａ２は、本発明の「長辺枠部」に相当し、前部爪部３１及び後部爪部３７は、本発明の「爪部」に相当する。
【００２１】
図４に示すように、前部爪部３１は、一方の長辺枠部を構成する前部長辺枠部３０ａ１の両端部に位置するフィルター角部３０ｅ１からフィルター３０の短手方向かつ斜め下方向に突出するように形成されている。図５に示すように、前部爪部３１は、先端が湾曲する湾曲部３２と、第１平坦板３３と、第２平坦板３４とを有する。湾曲部３２は、前部爪部３１の先端に位置し、縦方向に湾曲することでＵ字状に形成され、弾性を有する部分である。湾曲部３２は、上壁部３２ｂと、下壁部３２ｃと、上壁部３２ｂと下壁部３２ｃとを接続し、前部爪部３１の最先端部となる前壁部３２ａとを有する。第１平坦板３３は、湾曲部３２の一端を形成する上壁部３２ｂと前部長辺枠部３０ａ１との間に傾斜するように設けられて細長い板状に形成された部分である。第２平坦板３４は、湾曲部３２の他端を形成する下壁部３２ｃに接続し、第１平坦板３３と同方向に傾斜するように設けられた細長い板状の部分である。湾曲部３２は、上壁部３２ｂと下壁部３２ｃとの外面間の距離Ｈ１が、前部突出部１２ｈと底面部１２ｃとの間の距離Ｈ２よりも小さくなるように形成されている。前部爪部３１は、前部爪部３１の最先端部となる前壁部３２ａと、第２平坦板の根元側端部３５との間の距離Ｗ１が、前部突出部１２ｈと外れ防止リブ１２ｉとの間の距離Ｗ２よりも大きくなるように形成されている。
【００２２】
図３及び図６に示すように、後部爪部３７は、他方の長辺枠部を構成する後部長辺枠部３０ａ２の両端部に位置するフィルター角部３０ｅ２から下方向に突出するように形成されている。後部爪部３７は、図６及び図７に示すように、下方向に突出する下方壁部３７ａと、下方壁部３７ａの下端部からフィルター３０の外縁側の短手方向に突出する外縁突出部３７ｂとを有する。
【００２３】
次に、フィルター３０の吸込グリル１２への取り付けについて図４及び図６を用いて説明する。フィルター３０を吸込グリル１２に取り付ける際は、まず、フィルター３０の短辺枠部３０ｂと、吸込グリル１２の短辺側壁部１２ｂとが対向するように、フィルター３０の前部爪部３１を吸込グリル１２の短辺側壁部１２ｂに接触させる。その後、前部爪部３１が前部爪受部１２ｆの前部突当壁１２ｇと接するように、前部爪部３１を空間Ｓに挿入する。前部爪部３１が空間Ｓに挿入されると、湾曲部３２の上壁部３２ｂが前部爪受部１２ｆの前部突出部１２ｈと対向し、前部爪部３１と前部爪受部１２ｆとが係合する。図４の矢印で示すように、フィルター３０の前部爪部３１を吸込グリル１２の前部突出部１２ｈの下に挿入する際には、斜め上側から（図４の右上側から）挿入する。このように挿入することでフィルター３０の前部爪部３１の先端を吸込グリル１２の前部突出部１２ｈと底面部１２ｃとの間に入れやすくなる。また、前部爪部３１が空間Ｓに挿入されるとフィルター３０の根元側端部３５は外れ防止リブ１２ｉによりフィルター３０の短手方向の動きが規制される。そのため、前部爪部３１が前部爪受部１２ｆから外れる方向（図の右方向）に動かなくなりフィルター３０が吸込グリル１２から外れることを防ぐことが出来る。
【００２４】
次に、フィルター３０の短辺枠部３０ｂと、吸込グリル１２の短辺側壁部１２ｂとが対向するように、フィルター３０の後部爪部３７を吸込グリル１２の短辺側壁部１２ｂに接触させる。その後、後部爪部３７の外縁突出部３７ｂが後部長辺側壁部１２ａ２と接するように、外縁突出部３７ｂを後部爪受部１２ｊの下方に配置させる。外縁突出部３７ｂを後部爪受部１２ｊの下方に配置させると、外縁突出部３７ｂと、後部爪受部１２ｊの底壁部１２ｊ２とが対向し、後部爪部３７と後部爪受部１２ｊとが係合する。後部爪受部１２ｊは斜壁部１２ｊ１を有し、斜壁部１２ｊ１の斜面を利用することで、外縁突出部３７ｂを後部爪受部１２ｊの下方に配置させやすくなる。
【００２５】
フィルター３０は、前部爪部３１と前部爪受部１２ｆとが係合し、後部爪部３７と後部爪受部１２ｊとが係合することで、吸込グリル１２に固定されて取り付けられる。
【００２６】
以上のように、室内機１００は、吸込グリルが、底面部の４隅のグリル角部のそれぞれに位置する爪受部を有し、フィルターが、フィルターの４隅のフィルター角部のそれぞれに爪受部と係合する爪部を有するものである。その結果、フィルターを取り付ける時に位置決めしやすくなり、フィルターを吸込グリルに迅速かつ容易に取り付けることができ、吸込グリルにフィルターを取り付ける時の作業性を改善することができる。
【００２７】
また、フィルターが成形時の温度変化などで反ってしまい、フィルターを通過しない埃を含んだ空気が室内熱交換器に入り込んでしまう場合がある。このような場合には、室内熱交換器が汚れてしまい室内機の性能が低下してしまう。室内機１００は、吸込グリルが、底面部の４隅のグリル角部のそれぞれに位置する爪受部を有し、フィルターが、フィルターの４隅のフィルター角部のそれぞれに爪受部と係合する爪部を有するものである。その結果、フィルターの角が押えられることでフィルターの反りが矯正され、吸込グリルを通過する室内空気を、漏れなくフィルターに通過させることができる。
【００２８】
また、爪受部は、前部長辺側壁部に沿って底面部に配設された前部爪受部を有し、前部爪受部は、底面部から立ち上がる板状の前部突当壁と、突当壁の上端において他方の長辺側壁部側に突出して底面部と対向する板状の前部突出部とを有する。その結果、フィルターを取り付ける時に位置決めしやすくなり、フィルターを吸込グリルに迅速かつ容易に取り付けることができ、吸込グリルにフィルターを取り付ける時の作業性を改善することができる。また、前部爪部が前部爪受部に係合し、フィルターが吸込グリルから意図せず外れてしまうことを防ぐことが出来る。
【００２９】
また、爪受部は、後部長辺側壁部に配設される後部爪受部を有し、後部爪受部は、本体に対向して斜面を形成する斜壁部を有し、後部長辺側壁部から突出している。吸込グリルへのフィルターの取り付け工程において、後部爪部を斜壁部の斜面を利用して押し込むことで、外縁突出部を後部爪受部の下方に配置させやすくなる。その結果、フィルターを吸込グリルに迅速かつ容易に取り付けることができ、吸込グリルにフィルターを取り付ける時の作業性を改善することができる。また、後部爪受部は、底面部と対向する面を形成する底壁部を有し、後部長辺側壁部から突出している。このような構成により後部爪部が後部爪受部に係合し、フィルターが吸込グリルから意図せず外れてしまうことを防ぐことが出来る。
【００３０】
前部爪部は、一方の長辺枠部を構成する前部長辺枠部の両端部からフィルターの短手方向かつ斜め下方向に突出するように形成されている。そのため、前部爪部を空間Ｓに挿入しやすく、フィルターを吸込グリルに迅速かつ容易に取り付けることができる。
【００３１】
前部爪部は、前部爪部の先端に位置し、先端が湾曲する湾曲部と、湾曲部の一端と前部長辺枠部との間に傾斜するように設けられて細長い板状に形成された第１平坦板と、湾曲部の他端と接続し第１平坦板と同方向に傾斜する第２平坦板と、を有する。そのため、前部爪部は弾性を有し、前部爪部の弾性を利用することで前部爪部を空間Ｓに挿入しやすくなる。そのため、フィルターを吸込グリルに迅速かつ容易に取り付けることができる。また、爪部と爪受部とが係合した後は、前部爪部は復元し爪受部から外れにくくなる。
【００３２】
湾曲部は、上壁部と、下壁部とを有し、上壁部と下壁部との外面間の距離Ｈ１が、前部突出部と底面部との間の距離Ｈ２よりも小さくなるように形成されている。その結果、フィルターを取り付ける時に爪部を爪受部に挿入しやすくなり、フィルターを吸込グリルに迅速かつ容易に取り付けることができ、吸込グリルにフィルターを取り付ける時の作業性を改善することができる。
【００３３】
吸込グリルは、前部突当壁と対向するように底面部から立ち上がる外れ防止リブを更に有し、前部爪部は、前部爪部の最先端部と、第２平坦板の根元側端部との間の距離Ｗ１が、前部突出部と外れ防止リブとの間の距離Ｗ２よりも大きくなるように形成されている。そのため、前部爪部が空間Ｓに挿入されるとフィルターの根元側端部は外れ防止リブによりフィルターの短手方向の動きが規制される。その結果、前部爪部が前部爪受部から外れる方向（図５の右方向）に動かなくなりフィルターが吸込グリルから意図せず外れることを防ぐことが出来る。
【００３４】
後部爪部は、後部長辺枠部の両端部に位置するフィルター角部から下方向に突出するように形成されている。そのため、前部爪部を斜め方向から吸込グリルに取り付けた後、フィルターを下方に押し込むことでフィルターを容易に吸込グリルに取り付けることができる。
【００３５】
後部爪部は、下方向に突出する下方壁部と、下方壁部の下端部からフィルターの外縁側の短手方向に突出する外縁突出部とを有する。そのため、後部爪部が後部爪受部に係合し、フィルターが吸込グリルから意図せず外れてしまうことを防ぐことが出来る。
【００３６】
なお、本発明の実施の形態は、上記実施の形態１に限定されず、種々の変更を加えることができる。例えば、図４では、前部突出部１２ｈは、矩形状に形成されているが、前部突出部１２ｈは、矩形状に形成されることに限定するものではない。前部突出部１２ｈは、前部突当壁１２ｇの上端から後部長辺側壁部１２ａ２側に突出する構成であればよく、例えば、底面部１２ｃと対向する底面を有する多角柱状に形成されてもよい。また、前部突出部１２ｈは、底面部１２ｃと対向する底面を有する半円柱状に形成されてもよい。また、図３では、２枚のフィルター３０が吸込グリルに取り付けられているが、室内機１００に用いられるフィルター３０の枚数は２枚に限定するものではない。吸込グリル１２に取り付けられるフィルター３０の枚数は、グリル角部が形成されている数に対応するものであればよい。例えば、フィルター３０の数は、２枚以上の複数であってもよく、１枚であってもよい。
【符号の説明】
【００３７】
１  空気調和機、１０  本体、１１  化粧パネル、１２  吸込グリル、１２ａ１  前部長辺側壁部、１２ａ２  後部長辺側壁部、１２ｂ  短辺側壁部、１２ｃ  底面部、１２ｅ１  グリル角部、１２ｅ２  グリル角部、１２ｆ  前部爪受部、１２ｇ  前部突当壁、１２ｈ  前部突出部、１２ｉ  防止リブ、１２ｊ  後部爪受部、１２ｊ１  斜壁部、１２ｊ２  底壁部、１３  吹出口、１３ａ  風向フラップ、１４  吸込口、１４ａ  横桟、１４ｂ  縦桟、１５  サイドパネル、３０  フィルター、３０ａ１  前部長辺枠部、３０ａ２  後部長辺枠部、３０ｂ  短辺枠部、３０ｅ１  フィルター角部、３０ｅ２  フィルター角部、３１  前部爪部、３２  湾曲部、３２ａ  前壁部、３２ｂ  上壁部、３２ｃ  下壁部、３３  第１平坦板、３４  第２平坦板、３５  根元側端部、３７  後部爪部、３７ａ  下方壁部、３７ｂ  外縁突出部、１００  室内機、１１０  室内熱交換器、２００  室外機、２１０  圧縮機、２２０  流路切替装置、２３０  室外熱交換器、２４０  膨張弁、３００  ガス冷媒配管、４００  液冷媒配管。
【図１】
0006698886.tif 000002
【図２】
0006698886.tif 000003
【図３】
0006698886.tif 000004
【図４】
0006698886.tif 000005
【図５】
0006698886.tif 000006
【図６】
0006698886.tif 000007
【図７】
0006698886.tif 000008